(57)【要約】  ファン、ファン制御システム及びファンの制御方法であって、前記システムは、ウェアラブルデバイス（１００）とファン（２００）とを含み、ファン（２００）とウェアラブルデバイス（１００）とが通信し、ウェアラブルデバイス（１００）は、ユーザの人体パラメータを検出してユーザが睡眠状態に入ったか否かを判断し、ユーザが睡眠状態に入った場合に、睡眠用風モード命令を生成し、睡眠用風モード命令をファン（２００）に送信し、ファン（２００）は、睡眠用風モード命令を受信した後、睡眠用風モードに入り、睡眠用風制御グラフを取得し、睡眠用風制御グラフに基づいて運転パラメータを調節する。当該ファン制御システムは、ユーザが睡眠状態に入った場合に、睡眠用風制御グラフに基づいてファンの運転ランクを調節することができ、邪魔する要因が存在しなく、ファンの制御精度が向上し、ユーザの利便性が向上する。
2019509424.tif 000002
【特許請求の範囲】
【請求項１】
ウェアラブルデバイスとファンとを含むファン制御システムであって、前記ファンと前記ウェアラブルデバイスとが通信し、
前記ウェアラブルデバイスは、ユーザの人体パラメータを検出して前記ユーザが睡眠状態に入ったか否かを判断し、前記ユーザが睡眠状態に入った場合に、睡眠用風モード命令を生成し、前記睡眠用風モード命令を前記ファンに送信し、
前記ファンは、前記睡眠用風モード命令を受信した後、睡眠用風モードに入り、睡眠用風制御グラフを取得し、前記睡眠用風制御グラフに基づいて運転パラメータを調節する、ことを特徴とするファン制御システム。
【請求項２】
前記ファンが前記睡眠用風モード命令を受信していない場合に、前記ファンは、設定されたランクで運転する、ことを特徴とする請求項１に記載のファン制御システム。
【請求項３】
前記運転パラメータは、運転ランクと首振り角度とを含み、前記睡眠用風制御グラフは、睡眠時間と運転ランクとの対応関係を示すグラフである、ことを特徴とする請求項１に記載のファン制御システム。
【請求項４】
前記睡眠用風制御グラフは、前記ユーザが睡眠状態に入る前の前記ファンの設定されたランクを基本参照変数として生成される、ことを特徴とする請求項３に記載のファン制御システム。
【請求項５】
前記ファンは、前記睡眠用風制御グラフに基づいて運転ランクを調節する場合に、さらに、所定の首振り角度に基づいて首振りする、ことを特徴とする請求項３に記載のファン制御システム。
【請求項６】
前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記ファンに送信して、前記ファンが前記睡眠用風モードを終了する、ことを特徴とする請求項１に記載のファン制御システム。
【請求項７】
前記ウェアラブルデバイスと前記ファンとの通信接続が切断されると、前記ファンが自動的にオフになり、前記ウェアラブルデバイスと前記ファンとの通信接続が再確立されると、前記ファンが自動的にオンになる、ことを特徴とする請求項１に記載のファン制御システム。
【請求項８】
前記ファン制御システムは、クラウドサーバをさらに含み、前記クラウドサーバと前記ファンとが通信し、前記ファンは、毎回に前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する、ことを特徴とする請求項１に記載のファン制御システム。
【請求項９】
前記ウェアラブルデバイスは、さらに、前記ユーザの人体パラメータに基づいて風速調節命令を生成し、前記風速調節命令を前記ファンに送信して前記ファンの吹き出し風速を調節する、ことを特徴とする請求項１に記載のファン制御システム。
【請求項１０】
前記ファンは、
前記ウェアラブルデバイスとの通信接続を確立するための通信モジュールと、
ファンブレードと、
前記ファンブレードが回転するように駆動するモータと、
前記ファンの運転モードを制御し、前記ファンの運転モードに基づいて前記モータの回転速度を制御するためのメイン制御モジュールと、
を含む、ことを特徴とする請求項１〜９のいずれか一項に記載のファン制御システム。
【請求項１１】
通信モジュールと、ファンブレードと、モータと、メイン制御モジュールと、を含むファンであって、
前記通信モジュールは、ウェアラブルデバイスとの通信接続を確立して前記ウェアラブルデバイスから送信された睡眠用風モード命令を受信し、前記ウェアラブルデバイスが、ユーザの人体パラメータを検出することにより、前記ユーザが睡眠状態に入ったか否かを判断し、前記ユーザが睡眠状態に入った場合に、前記睡眠用風モード命令を生成し、
前記モータは、前記ファンブレードが回転するように駆動し、
前記メイン制御モジュールは、前記通信モジュールが前記睡眠用風モード命令を受信した場合に、前記ファンが睡眠用風モードに入るように制御し、睡眠用風制御グラフを取得し、前記睡眠用風制御グラフに基づいて前記ファンの運転パラメータを調節する、ことを特徴とするファン。
【請求項１２】
前記通信モジュールは、さらに、リモコン又は前記ウェアラブルデバイスから送信されたランク設定命令を受信し、前記制御モジュールは、前記ランク設定命令に基づいて前記ファンが設定されたランクで運転するように制御する、ことを特徴とする請求項１１に記載のファン。
【請求項１３】
前記運転パラメータは、運転ランクと首振り角度とを含み、前記睡眠用風制御グラフは、睡眠時間と運転ランクとの対応関係を示すグラフである、ことを特徴とする請求項１１に記載のファン。
【請求項１４】
前記睡眠用風制御グラフは、前記ユーザが睡眠状態に入る前の前記ファンの設定されたランクを基本参照変数として生成される、ことを特徴とする請求項１３に記載のファン。
【請求項１５】
前記メイン制御モジュールは、前記睡眠用風制御グラフに基づいて前記ファンの運転ランクを調節する場合に、さらに、所定の首振り角度に基づいて前記ファンが首振りするように制御する、ことを特徴とする請求項１３に記載のファン。
【請求項１６】
前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記通信モジュールに送信し、前記制御モジュールは、前記終了命令に基づいて前記ファンが前記睡眠用風モードを終了するように制御する、ことを特徴とする請求項１１に記載のファン。
【請求項１７】
前記ウェアラブルデバイスと前記ファンとの通信接続が切断されると、前記制御モジュールは、前記ファンが自動的にオフになるように制御し、前記ウェアラブルデバイスと前記ファンとの通信接続が再確立されると、前記制御モジュールは、前記ファンが自動的にオンになるように制御する、ことを特徴とする請求項１１に記載のファン。
【請求項１８】
前記ファンは、さらに、前記通信モジュールを介してクラウドサーバと通信し、前記ファンは、毎回、前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する、ことを特徴とする請求項１１に記載のファン。
【請求項１９】
前記ウェアラブルデバイスは、さらに、前記ユーザの人体パラメータに基づいて風速調節命令を生成し、前記風速調節命令を前記通信モジュールに送信し、前記制御モジュールは、前記風速調節命令に基づいて前記モータの回転速度を調節して前記ファンの吹き出し風速を調節する、ことを特徴とする請求項１１に記載のファン。
【請求項２０】
ファンの制御方法であって、ファンとウェアラブルデバイスとが通信し、前記制御方法は、
前記ウェアラブルデバイスが、ユーザの人体パラメータを検出することにより、前記ユーザが睡眠状態に入ったか否かを判断するステップと、
前記ユーザが睡眠状態に入った場合に、睡眠用風モード命令を生成するステップと、
前記睡眠用風モード命令に基づいて前記ファンが睡眠用風モードに入るように制御し、前記ファンが前記睡眠用風モードに入った後、睡眠用風制御グラフを取得し、前記睡眠用風制御グラフに基づいて前記ファンの運転パラメータを調節するステップと、
を含む、ことを特徴とするファンの制御方法。
【請求項２１】
前記ファンが前記睡眠用風モード命令を受信していない場合に、前記ファンは、設定されたランクで運転する、ことを特徴とする請求項２０に記載のファンの制御方法。
【請求項２２】
前記運転パラメータは、運転ランクと首振り角度とを含み、前記睡眠用風制御グラフは、睡眠時間と運転ランクとの対応関係を示すグラフである、ことを特徴とする請求項２０に記載のファンの制御方法。
【請求項２３】
前記睡眠用風制御グラフは、前記ユーザが睡眠状態に入る前の前記ファンの設定されたランクを基本参照変数として生成される、ことを特徴とする請求項２２に記載のファンの制御方法。
【請求項２４】
前記睡眠用風制御グラフに基づいて前記ファンの運転ランクを調節する場合に、さらに、所定の首振り角度に基づいて前記ファンが首振りするように制御する、ことを特徴とする請求項２２に記載のファンの制御方法。
【請求項２５】
前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記ファンに送信し、前記ファンが前記睡眠用風モードを終了する、ことを特徴とする請求項２０に記載のファンの制御方法。
【請求項２６】
前記ウェアラブルデバイスと前記ファンとの通信接続が切断されると、前記ファンが自動的にオフになるように制御し、前記ウェアラブルデバイスと前記ファンとの通信接続が再確立されると、前記ファンが自動的にオンになるように制御する、ことを特徴とする請求項２０に記載のファンの制御方法。
【請求項２７】
前記ファンは、さらに、クラウドサーバと通信し、前記ファンは、毎回に前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する、ことを特徴とする請求項２０に記載のファンの制御方法。
【請求項２８】
前記ウェアラブルデバイスは、さらに、前記ユーザの人体パラメータに基づいて風速調節命令を生成し、前記風速調節命令を前記ファンに送信して前記ファンの吹き出し風速を調節する、ことを特徴とする請求項２０に記載のファンの制御方法。
【発明の詳細な説明】
【技術分野】
【０００１】
本発明は、家電製品技術分野に関し、特に、ファン、ファン制御システム及びファンの制御方法に関する。
【背景技術】
【０００２】
現在、ファンは、知能化方向に向かって徐々に発展しており、ファンの運転中に、ファンの風速を自動的に調節することができる。
【０００３】
関連技術において、人体の温度を取得することにより、風速をリアルタイムに調節しているが、検出精度やリアルタイム検出などの要因の影響により、ファンの制御精度は比較的低く、ユーザの利便性に影響を与える。
【発明の概要】
【発明が解決しようとする課題】
【０００４】
本発明は、関連技術における少なくとも一つの技術的課題をある程度で解決することを目的とする。
【０００５】
そのため、本発明の第1の目的は、ユーザが睡眠状態に入った場合に、睡眠風制御グラフに基づいてファンの運転ランクを調節することができ、邪魔する要因がなく、ファンの制御精度が向上し、ユーザの利便性が向上するファン制御システムを提供することである。 
【０００６】
本発明の第２の目的は、ファンを提供することである。
【０００７】
本発明の第３の目的は、ファン制御方法を提供することである。
【課題を解決するための手段】
【０００８】
上記目的を実現するために、本発明の第１側面の実施例は、ウェアラブルデバイスとファンとを含むファン制御システムであって、前記ファンと前記ウェアラブルデバイスとが通信し、前記ウェアラブルデバイスは、ユーザの人体パラメータを検出して前記ユーザが睡眠状態に入ったか否かを判断し、前記ユーザが睡眠状態に入った場合に、睡眠用風モード命令を生成し、前記睡眠用風モード命令を前記ファンに送信し、前記ファンは、前記睡眠用風モード命令を受信した後、睡眠用風モードに入り、睡眠用風制御グラフを取得し、前記睡眠用風制御グラフに基づいて運転パラメータを調節するファン制御システムを提供する。
【０００９】
本発明の実施例によるファン制御システムは、ウェアラブルデバイスによりユーザの人体パラメータを検出してユーザが睡眠状態に入ったか否かを判断し、ユーザが睡眠状態に入った場合に、睡眠用風モード命令を生成し、睡眠用風モード命令をファンに送信し、ファンは、睡眠用風モード命令を受信した後、睡眠用風モードに入り、睡眠用風制御グラフを取得し、睡眠用風制御グラフに基づいて運転パラメータを調節する。これにより、当該システムは、ユーザが睡眠状態に入った場合に、睡眠用風制御グラフに基づいてファンの運転ランクを調節することができ、邪魔する要因が存在しなく、ファンの制御精度が向上し、ユーザの利便性が向上する。
【００１０】
また、本発明に係る上記ファン制御システムは、以下のような付加的な技術特徴をさらに有してもよい。
【００１１】
本発明の一実施例において、前記ファンが前記睡眠用風モード命令を受信していない場合に、前記ファンは、設定されたランクで運転する。
【００１２】
本発明の一実施例において、前記運転パラメータは、運転ランクと首振り角度とを含み、前記睡眠用風制御グラフは、睡眠時間と運転ランクとの対応関係を示すグラフである。
【００１３】
本発明の一実施例において、前記睡眠用風制御グラフは、前記ユーザが睡眠状態に入る前の前記ファンの設定されたランクを基本参照変数として生成される。
【００１４】
本発明の一実施例において、前記ファンは、前記睡眠用風制御グラフに基づいて運転ランクを調節する場合に、さらに、所定の首振り角度に基づいて首振りする。
【００１５】
本発明の一実施例において、前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記ファンに送信して、前記ファンが前記睡眠用風モードを終了する。
【００１６】
本発明の一実施例において、前記ウェアラブルデバイスと前記ファンとの通信接続が切断されると、前記ファンが自動的にオフになり、前記ウェアラブルデバイスと前記ファンとの通信接続が再確立されると、前記ファンが自動的にオンになる。
【００１７】
本発明の一実施例において、上記ファン制御システムは、クラウドサーバをさらに含み、前記クラウドサーバと前記ファンとが通信し、前記ファンは、毎回に前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する。
【００１８】
本発明の一実施例において、前記ウェアラブルデバイスは、さらに、前記ユーザの人体パラメータに基づいて風速調節命令を生成し、前記風速調節命令を前記ファンに送信して前記ファンの吹き出し風速を調節する。
【００１９】
本発明の一実施例において、前記ファンは、前記ウェアラブルデバイスとの通信接続を確立するための通信モジュールと、ファンブレードと、前記ファンブレードが回転するように駆動するモータと、前記ファンの運転モードを制御し、前記ファンの運転モードに基づいて前記モータの回転速度を制御するためのメイン制御モジュールと、を含む。
【００２０】
上記目的を実現するために、本発明の第２側面の実施例は、ファンを提供し、前記ファンは、通信モジュールと、ファンブレード、モータと、メイン制御モジュールと、を含み、前記通信モジュールは、ウェアラブルデバイスとの通信接続を確立して前記ウェアラブルデバイスから送信された睡眠用風モード命令を受信し、前記ウェアラブルデバイスが、ユーザの人体パラメータを検出することにより、前記ユーザが睡眠状態に入ったか否かを判断し、前記ユーザが睡眠状態に入った場合に、前記睡眠用風モード命令を生成し、前記モータは、前記ファンブレードが回転するように駆動し、前記メイン制御モジュールは、前記通信モジュールが前記睡眠用風モード命令を受信した場合に、前記ファンが睡眠用風モードに入るように制御し、睡眠用風制御グラフを取得し、前記睡眠用風制御グラフに基づいて前記ファンの運転パラメータを調節する。
【００２１】
本発明の実施例によるファンは、通信モジュールによりウェアラブルデバイスとの通信接続を確立してウェアラブルデバイスから送信された睡眠用風モード命令を受信し、メイン制御モジュールは、通信モジュールが睡眠用風モード命令を受信した場合に、ファンが睡眠用風モードに入るように制御し、睡眠用風制御グラフを取得し、睡眠用風制御グラフに基づいてファンの運転パラメータを調節する。これにより、当該ファンは、ユーザが睡眠状態に入った場合に、睡眠用風制御グラフに基づいてファンの運転ランクを調節することができ、邪魔する要因が存在しなく、ファンの制御精度が向上し、ユーザの利便性が向上する。
【００２２】
また、本発明に係る上記ファンは、以下のような付加的な技術特徴をさらに有してもよい。
【００２３】
本発明の一実施例において、前記通信モジュールは、さらに、リモコン又は前記ウェアラブルデバイスから送信されたランク設定命令を受信し、前記制御モジュールは、前記ランク設定命令に基づいて前記ファンが設定されたランクで運転するように制御する。
【００２４】
本発明の一実施例において、前記運転パラメータは、運転ランクと首振り角度とを含み、前記睡眠用風制御グラフは、睡眠時間と運転ランクとの対応関係を示すグラフである。
【００２５】
本発明の一実施例において、前記睡眠用風制御グラフは、前記ユーザが睡眠状態に入る前の前記ファンの設定されたランクを基本参照変数として生成される。
【００２６】
本発明の一実施例において、前記メイン制御モジュールは、前記睡眠用風制御グラフに基づいて前記ファンの運転ランクを調節する場合に、さらに、所定の首振り角度に基づいて前記ファンが首振りするように制御する。
【００２７】
本発明の一実施例において、前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記通信モジュールに送信し、前記制御モジュールは、前記終了命令に基づいて前記ファンは前記睡眠用風モードを終了するように制御する。
【００２８】
本発明の一実施例において、前記ウェアラブルデバイスと前記ファンとの通信接続が切断されると、前記制御モジュールは、前記ファンが自動的にオフになるように制御し、前記ウェアラブルデバイスと前記ファンとの通信接続が再確立されると、前記制御モジュールは、前記ファンが自動的にオンになるように制御する。
【００２９】
本発明の一実施例において、前記ファンは、さらに、前記通信モジュールを介してクラウドサーバと通信し、前記ファンは、毎回に前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する。
【００３０】
本発明の一実施例において、前記ウェアラブルデバイスは、さらに、前記ユーザの人体パラメータに基づいて風速調節命令を生成し、前記風速調節命令を前記通信モジュールに送信し、前記制御モジュールは、前記風速調節命令に基づいて前記モータの回転速度を調節して前記ファンの吹き出し風速を調節する。
【００３１】
上記目的を実現するために、本発明の第３の実施例では、ファンとウェアラブルデバイスとが通信するファンの制御方法を提供し、前記制御方法は、前記ウェアラブルデバイスが、ユーザの人体パラメータを検出することにより、前記ユーザが睡眠状態に入ったか否かを判断するステップと、前記ユーザが睡眠状態に入った場合に、睡眠用風モード命令を生成するステップと、前記睡眠用風モード命令に基づいて前記ファンが睡眠用風モードに入るように制御し、前記ファンが前記睡眠用風モードに入った後、睡眠用風制御グラフを取得し、前記睡眠用風制御グラフに基づいて前記ファンの運転パラメータを調節するステップと、を含む。
【００３２】
本発明の実施例によるファンの制御方法によれば、ウェアラブルデバイスが、ユーザの人体パラメータを検出することにより、ユーザが睡眠状態に入ったか否かを判断し、ユーザが睡眠状態に入った場合に、睡眠用風モード命令を生成し、睡眠用風モード命令に基づいてファンが睡眠用風モードに入るように制御し、ファンが睡眠用風モードに入った後、睡眠用風制御グラフを取得し、睡眠用風制御グラフに基づいてファンの運転パラメータを調節する。これにより、当該方法は、ユーザが睡眠状態に入った場合に、睡眠用風制御グラフに基づいてファンの運転パラメータを調節することができ、邪魔する要因が存在しなく、ファンの制御精度が向上し、ユーザの利便性が向上する。
【００３３】
また、本発明に係る上記ファンの制御方法は、以下のような付加的な技術特徴をさらに有してもよい。
【００３４】
本発明の一実施例において、前記ファンが前記睡眠用風モード命令を受信していない場合に、前記ファンは、設定されたランクで運転する。
【００３５】
本発明の一実施例において、前記運転パラメータは、運転ランクと首振り角度とを含み、前記睡眠用風制御グラフは、睡眠時間と運転ランクとの対応関係を示すグラフである。
【００３６】
本発明の一実施例において、前記睡眠用風制御グラフは、前記ユーザが睡眠状態に入る前の前記ファンの設定されたランクを基本参照変数として生成される。
【００３７】
本発明の一実施例において、前記睡眠用風制御グラフに基づいて前記ファンの運転ランクを調節する場合に、さらに、所定の首振り角度に基づいて前記ファンが首振りするように制御する。
【００３８】
本発明の一実施例において、前記ウェアラブルデバイスによって、前記ユーザが前記睡眠状態から目覚めたことが検出された場合に、計測を開始し、計測時間が所定の時間に達した場合に、前記ウェアラブルデバイスは、終了命令を生成し、前記終了命令を前記ファンに送信し、前記ファンが前記睡眠用風モードを終了する。
【００３９】
本発明の一実施例において、前記ウェアラブルデバイスと前記ファンとの通信接続が切断されると、前記ファンが自動的にオフになるように制御し、前記ウェアラブルデバイスと前記ファンとの通信接続が再確立されると、前記ファンが自動的にオンになるように制御する。
【００４０】
本発明の一実施例において、前記ファンは、さらに、クラウドサーバと通信し、前記ファンは、毎回、前記睡眠用風モードに入った後の運転パラメータを前記クラウドサーバに送信し、前記クラウドサーバは、前記運転パラメータに基づいて前記睡眠用風制御グラフを修正し、修正された睡眠用風制御グラフを前記ファンに送信する。
【００４１】
本発明の一実施例において、前記ウェアラブルデバイスは、さらに、前記ユーザの人体パラメータに基づいて風速調節命令を生成し、前記風速調節命令を前記ファンに送信して前記ファンの吹き出し風速を調節する。
【００４２】
本発明の付加的な特徴及び利点は、一部が以下の説明において示され、一部が以下の説明により明らかになり、又は本発明の実践により理解される。
【図面の簡単な説明】
【００４３】
【図１】本発明の一実施例によるファン制御システムの概略ブロック図である。
【図２】本発明の一実施例による睡眠用風制御グラフである。
【図３】本発明の別の実施例によるファン制御システムの概略ブロック図である。
【図４】本発明の更なる別の実施例によるファン制御システムの概略ブロック図である。
【図５】本発明の一実施例によるファンの概略ブロック図である。
【図６】本発明の一実施例によるファン制御方法のフローチャートである。
【発明を実施するための形態】
【００４４】
以下、本発明の実施例を詳細に説明する。前記実施例における例が図面に示され、同一又は類似する符号は、常に同一又は類似する部品、或いは、同一又は類似する機能を有する部品を表す。図面を参照しながら以下に説明される実施例は例示的なものであり、本発明を解釈することを旨とし、本発明を限定するものと理解してはいけない。
【００４５】
本発明の実施例で提供されるファン及びその制御システム並びに方法について、図面を参照して以下に説明する。
【００４６】
図１は、本発明の実施例によるファン制御システムの概略ブロック図である。図１に示すように、当該ファン制御システムは、ウェアラブルデバイス１００とファン２００とを含む。
【００４７】
ここで、ウェアラブルデバイス１００は、ユーザの人体パラメータを検出してユーザが睡眠状態に入ったか否かを判断し、ユーザが睡眠状態に入った場合に、睡眠用風モード命令を生成し、睡眠用風モード命令をファン２００に送信する。ファン２００は、睡眠用風モード命令を受信した後、睡眠用風モードに入り、睡眠用風制御グラフを取得し、睡眠用風制御グラフに基づいて運転パラメータを調節する。
【００４８】
具体的に、本発明の実施例において、ウェアラブルデバイス１００は、ユーザの現在の心拍数及び運動パラメータ情報を検出することにより、ユーザが睡眠状態に入ったか否かを判断することができる。例えば、ユーザの２０分以内の心拍数及び運動パラメータ情報を検出することにより、ユーザが睡眠状態に入ったか否かを判断する。ユーザが睡眠状態に入ったと判断されると、ウェアラブルデバイス１００は、睡眠用風モード命令を生成してファン２００に送信する。ファン２００とウェアラブルデバイス１００との間の距離が比較的小さい（例えば、１０メートル）場合に、ファン２００とウェアラブルデバイス１００とは、ブルートゥース（登録商標）、ＷＩＦＩなどの方式で通信することができる。ファン２００がウェアラブルデバイス１００から送信された睡眠用風モード命令を受信した後、ファン２００は、自動的に睡眠用風モードに入り、睡眠用風制御グラフを取得し、睡眠用風制御グラフに基づいてファン２００の運転ランクを調節する。
【００４９】
本発明の一実施例において、図２に示すように、運転パラメータは、運転ランクと首振り角度とを含み、睡眠用風制御グラフは、睡眠時間と運転ランクとの対応関係を示すグラフである。睡眠用風制御グラフは、ユーザが睡眠状態に入る前のファン２００の設定されたランクＸを基本参照変数として生成され、ファンは、睡眠用風制御グラフに基づいて運転ランクを調節する場合に、さらに、所定の首振り角度に基づいて首振りすることができる。ここで、所定の首振り角度が９０°とデフォルトされてもよい。
【００５０】
具体的に、図２に示すように、ファン２００がウェアラブルデバイス１００から送信された睡眠用風モード命令を受信した場合に、ファン２００は、睡眠用風制御グラフの運転に自動的に切り替え、即ち、睡眠用風制御グラフに基づいて自動的に運転ランクを調節し、同時に所定の角度、例えば、９０°で首振りする。ここで、Ｘは、ユーザが睡眠状態に入る前のファン２００の設定されたランクであり、ユーザによって自身の要望に応じて設定される。ＭとＮとは、実際の状況に応じて予め設定することができ、例えば、Ｍが２に設定されてもよく、Ｎが５に設定されてもよい。Ｘ-Ｍ又はＸ-Ｎがゼロ以下であると、１ランクとデフォルトされる。
【００５１】
なお、ウェアラブルデバイス１００によりファン２００が睡眠用風モードに入るように制御する場合に、ファン２００が睡眠用風制御グラフの運転に自動的に切り替えることは、Ｘ-Ｍランクからファン２００の運転ランクを調節することである。また、ユーザは、押しボタン、リモコン、移動端末などを介してファン２００の首振り角度を設定し、首振り機能のオン又はオフを行うことができる。
【００５２】
本発明の別の実施例において、ユーザがウェアラブルデバイス１００を着用していない場合に、ユーザは、直接に押しボタン、リモコン、移動端末などを介してファン２００が睡眠用風モードに入るように制御することができる。ここで、リモコンは、赤外線、無線周波数、ＷＩＦＩなどの無線通信方式でファンと通信することができる。ファン２００が睡眠用風モードに入った場合に、ファン２００は、まず、設定されたランクＸで１時間運転し、それからＸ-Ｍランクからファン２００の運転ランクを調節し、ファン２００が８時間運転した後、設定されたランクＸで運転し続ける。
【００５３】
本発明の更なる別の実施例において、ファン２００が睡眠用風モード命令を受信していない場合に、ファン２００は、設定されたランクＸで運転する。
【００５４】
本発明の一実施例において、ウェアラブルデバイス１００によって、ユーザが睡眠状態から目覚めたことが検出された場合に、計測を開始し、計測時間が所定の時間に達した場合に、ウェアラブルデバイス１００は、終了命令を生成し、終了命令をファン２００に送信して、ファン２００が睡眠用風モードを終了する。ここで、所定の時間は、実際の状況に応じて設定することができる。
【００５５】
具体的に、ウェアラブルデバイス１００によって、ユーザが睡眠状態から目覚めたことが検出された場合に、当該ユーザがアウェイク状態になっている時間を累積し始め、累積されたアウェイク状態の時間が所定の時間より大きい場合に、ウェアラブルデバイス１００は、終了命令を生成し、終了命令をファン２００に送信して、ファン２００が睡眠用風モードを終了する。累積されたアウェイク状態の時間が所定の時間以下である場合に、ウェアラブルデバイス１００は、ユーザの睡眠期間中の短時間アウェイク状態での活動行為、例えば、トイレに行く又は水を飲むなどの活動行為であると判定することができ、ウェアラブルデバイス１００は、無視する。
【００５６】
さらに、ファン２００が睡眠用風モードを終了した後、リスニングモード又は通常風モードに入ることができ、リスニングモードは、スタンバイモードとして理解されてもよい。この場合に、ユーザは、押しボタン、リモコン、移動端末などを介して制御命令をファン２００に送信することができ、ファン２００は、制御命令を受信した後、対応する運転モードに入る。通常風モードに対応するファン２００のランクは、設定されたランクＸであってもよい。
【００５７】
本発明の一実施例において、ウェアラブルデバイス１００とファン２００との通信接続が切断されると、ファン２００が自動的にオフになり、ウェアラブルデバイス１００とファン２００との通信接続が再確立されると、ファン１００が自動的にオンになる。
【００５８】
具体的には、ウェアラブルデバイス１００とファン２００との間の距離が比較的遠い場合に、ウェアラブルデバイス１００とファン２００との通信接続を確立することができず、これは、ホームアウェイモードとして定義することができ、この場合に、ファン２００が自動的にオフになる。ウェアラブルデバイス１００とファン２００との間の距離が比較的近い場合に、ウェアラブルデバイス１００とファン２００との通信接続は自動的に確立され、これは、ホームモードとして定義することができ、この場合に、ファン１００が自動的にオンになる。例えば、ユーザが家を出た場合に、ウェアラブルデバイス１００とファン２００との通信接続が切断され、切断された時間が１０分に達した場合に、ファン２００が自動的にオフになる。ユーザが再び家に帰った場合に、ウェアラブルデバイス１００とファン２００との通信接続が再確立され、ファン１００は、直ちに自動的にオンになる。
【００５９】
本発明の一実施例において、図３に示すように、上記ファン制御システムは、クラウドサーバ３００をさらに含む。クラウドサーバ３００とファン２００とは通信し、ここで、ファン２００は、毎回、睡眠用風モードに入った後の運転パラメータをクラウドサーバ３００に送信し、クラウドサーバ３００は、運転パラメータに基づいて睡眠用風制御グラフを修正し、修正された睡眠用風制御グラフをファン２００に送信する。
【００６０】
具体的には、ファン２００は、インターネットを介してクラウドサーバ３００との通信接続を確立することができる。ファン２００は、一定時間内にユーザが睡眠用風モードに入った後の運転パラメータを毎回クラウドサーバ３００に送信し、クラウドサーバ３００は、運転パラメータを分析及び計算することにより、ユーザの睡眠習慣を取得し、ユーザの睡眠習慣に基づいて睡眠用風制御グラフを修正する。ファン２００が再び睡眠用風制御グラフの運転に切り替えた場合に、クラウドサーバ３００は、修正された睡眠用風制御グラフをファン２００に自動的に更新し、設定されたランクＸ（例えば、最新の時間帯内にユーザがよく設定されたランク）を修正する。これにより、睡眠用風制御グラフがユーザの要求をさらに満足するようになり、ユーザの使用利便性が向上する。
【００６１】
本発明の一実施例において、ウェアラブルデバイス１００は、さらにユーザの人体パラメータに基づいて風速調節命令を生成し、風速調節命令をファン２００に送信してファンの吹き出し風速を調節する。ここで、人体パラメータは、体温、表情、苛立たしさ、及び睡眠状態などを含んでもよい。ユーザの人体パラメータによってファン２００の吹き出し風速が微調節され、ファンの吹き出し風速がユーザの実際の状況により近づき、ユーザの快適さが向上する。
【００６２】
本発明の一実施例において、図４に示すように、ファン２００は、通信モジュール２１０と、ファンブレード２２０と、モータ２３０と、メイン制御モジュール２４０と、を含んでもよい。ここで、通信モジュール２１０は、ウェアラブルデバイス１００との通信接続を確立する。モータ２３０は、ファンブレードが回転するように駆動する。メイン制御モジュール２４０は、ファン２００の運転モードを制御し、ファン２００の運転モードに基づいてモータ２３０の回転速度を制御する。
【００６３】
本発明の実施例によるファン制御システムは、ウェアラブルデバイスによりユーザの人体パラメータを検出してユーザが睡眠状態に入ったか否かを判断し、ユーザが睡眠状態に入った場合に、睡眠用風モード命令を生成し、睡眠用風モード命令をファンに送信し、ファンは、睡眠用風モード命令を受信した後、睡眠用風モードに入り、睡眠用風制御グラフを取得し、睡眠用風制御グラフに基づいて運転パラメータを調節する。これにより、当該システムは、ユーザが睡眠状態に入った場合に、睡眠用風制御グラフに基づいてファンの運転ランクを調節することができ、邪魔する要因が存在しなく、ファンの制御精度が向上し、ユーザの利便性が向上する。
【００６４】
図５は、本発明一実施例によるファンの概略ブロック図である。図５に示すように、当該ファンは、通信モジュール１０と、ファンブレード２０と、モータ３０と、メイン制御モジュール４０と、を含む。
【００６５】
具体的に、通信モジュール１０は、ウェアラブルデバイス５０との通信接続を確立してウェアラブルデバイス５０から送信された睡眠用風モード命令を受信する。ここで、ウェアラブルデバイス５０が、ユーザの人体パラメータを検出することにより、ユーザが睡眠状態に入ったか否かを判断し、ユーザが睡眠状態に入った場合に、睡眠用風モード命令を生成する。モータ３０は、ファンブレード２０が回転するように駆動する。メイン制御モジュール４０は、通信モジュール１０が睡眠用風モード命令を受信した場合に、ファンが睡眠用風モードに入るように制御し、睡眠用風制御グラフを取得し、睡眠用風制御グラフに基づいてファンの運転パラメータを調節する。
【００６６】
具体的に、本発明の実施例において、ウェアラブルデバイス５０は、ユーザの現在の心拍数及び運動パラメータ情報を検出することにより、ユーザが睡眠状態に入ったか否かを判断することができる。例えば、ユーザの２０分以内の心拍数及び運動パラメータ情報を検出することにより、ユーザが睡眠状態に入ったか否かを判断する。ユーザが睡眠状態に入ったと判断されると、ウェアラブルデバイス５０は、睡眠用風モード命令を生成して通信モジュール１０に送信する。通信モジュール１０とウェアラブルデバイス５０との間の距離が比較的小さい（例えば、１０メートル）場合に、通信モジュール１０とウェアラブルデバイス５０とは、ブルートゥース（登録商標）、ＷＩＦＩなどの方式で通信することができる。メイン制御モジュール４０は、通信モジュール１０がウェアラブルデバイス５０から送信された睡眠用風モード命令を受信した後、ファンが自動的に睡眠用風モードに入るように制御し、睡眠用風制御グラフを取得し、睡眠用風制御グラフに基づいてファンの運転ランクを調節する。
【００６７】
また、本発明の一実施例において、通信モジュール１０は、さらに、リモコン又はウェアラブルデバイス５０から送信されたランク設定命令を受信し、制御モジュール４０は、ランク設定命令に基づいてファンが設定されたランクで運転するように制御する。
【００６８】
本発明の一実施例において、図２に示すように、運転パラメータは、運転ランクと首振り角度とを含み、睡眠用風制御グラフは、睡眠時間と運転ランクとの対応関係を示すグラフである。睡眠用風制御グラフは、ユーザが睡眠状態に入る前のファン２００の設定されたランクＸを基本参照変数として生成され、ファンは、睡眠用風制御グラフに基づいて運転ランクを調節する場合に、さらに、所定の首振り角度に基づいて首振りすることができる。ここで、所定の首振り角度が９０°とデフォルトされてもよい。
【００６９】
具体的に、図２に示すように、通信モジュール１０がウェアラブルデバイス５０から送信された睡眠用風モード命令を受信した場合に、メイン制御モジュール４０は、ファンが睡眠用風制御グラフの運転に自動的に切り替えるように制御し、即ち、睡眠用風制御グラフに基づいて自動的に運転ランクを調節し、同時に所定の角度、例えば、９０°で首振りする。ここで、Ｘは、ユーザが睡眠状態に入る前のファンの設定されたランクであり、ユーザによって自身の要望に応じて設定される。ＭとＮとは、実際の状況に応じて予め設定することができ、例えば、Ｍが２に設定されてもよく、Ｎが５に設定されてもよい。Ｘ-Ｍ又はＸ-Ｎがゼロ以下であると、１ランクとデフォルトされる。
【００７０】
なお、ウェアラブルデバイス５０によりファン２００が睡眠用風モードに入るように制御する場合に、メイン制御モジュール４０は、ファン２００が睡眠用風制御グラフの運転に自動的に切り替えるように制御することは、Ｘ-Ｍランクからファンの運転ランクを調節することである。また、ユーザは、押しボタン、リモコン、移動端末などを介してファン２００の首振り角度を設定し、首振り機能のオン又はオフを行うことができる。
【００７１】
本発明の別の実施例において、ユーザがウェアラブルデバイス５０を着用していない場合に、ユーザは、直接的に押しボタン、リモコン、移動端末などを介してファンが睡眠用風モードに入るように制御することができる。ここで、リモコンは、赤外線、無線周波数、ＷＩＦＩなどの無線通信方式でファンにおける通信モジュール１０と通信することができる。ファンが睡眠用風モードに入った場合に、メイン制御モジュール４０は、ファン２００がまず設定されたランクＸで１時間運転し、それからＸ-Ｍランクからファンの運転ランクを調節し、ファンが８時間運転した後、設定されたランクＸで運転し続けるように制御する。
【００７２】
本発明の一実施例において、通信モジュール１０が睡眠用風モード命令を受信していない場合に、メイン制御モジュールは、ファンが設定されたランクＸで運転するように制御する。
【００７３】
本発明の一実施例において、ウェアラブルデバイス５０によって、ユーザが睡眠状態から目覚めたことが検出された場合に、計測を開始し、計測時間が所定の時間に達した場合に、ウェアラブルデバイス５０は、終了命令を生成し、終了命令を通信モジュール１０に送信し、制御モジュール４０は、終了命令に基づいてファンが睡眠用風モードを終了するように制御する。ここで、所定の時間は、実際の状況に応じて設定することができる。
【００７４】
具体的に、ウェアラブルデバイス５０によって、ユーザが睡眠状態から目覚めたことが検出された場合に、当該ユーザがアウェイク状態になっている時間を累積し始め、累積されたアウェイク状態の時間が所定の時間より大きい場合に、ウェアラブルデバイス５０は、終了命令を生成し、終了命令を通信モジュール１０に送信し、制御モジュール４０は、終了命令に基づいてファンが睡眠用風モードを終了するように制御する。累積されたアウェイク状態の時間が所定の時間以下である場合に、ウェアラブルデバイス５０は、ユーザの睡眠期間中の短時間のアウェイク状態での活動行為、例えば、トイレに行く又は水を飲むなどの活動行為であると判定することができ、ウェアラブルデバイス５０は、無視する。
【００７５】
さらに、ファンが睡眠用風モードを終了した後、リスニングモード又は通常風モードに入ることができ、リスニングモードは、スタンバイモードとして理解されてもよい。この場合に、ユーザは、押しボタン、リモコン、移動端末などを介して制御命令を通信モジュール１０に送信することができ、通信モジュール１０は、制御命令を受信した後、メイン制御モジュール４０は、ファンが対応する運転モードに入るように制御する。通常風モードに対応するファンのランクは、設定されたランクＸであってもよい。
【００７６】
本発明の一実施例において、ウェアラブルデバイス５０とファンとの通信接続が切断されると、制御モジュール４０は、ファンが自動的にオフになるように制御し、ウェアラブルデバイス５０とファンとの通信接続が再確立されると、制御モジュール４０は、ファンが自動的にオンになるように制御する。
【００７７】
具体的には、ウェアラブルデバイス５０とファンとの間の距離が比較的遠い場合に、ウェアラブルデバイス５０と通信モジュール１０との通信接続を確立することができず、これは、ホームアウェイモードとして定義することができ、この場合に、制御モジュール４０は、ファンが自動的にオフになるように制御する。ウェアラブルデバイス５０とファンとの間の距離が比較的近い場合に、ウェアラブルデバイス５０と通信モジュール１０との通信接続は自動的に確立され、これは、ホームモードとして定義することができ、この場合に、制御モジュール４０は、ファンが自動的にオンになるように制御する。例えば、ユーザが家を出た場合に、ウェアラブルデバイス５０と通信モジュール１０との通信接続が切断され、切断された時間が１０分に達すると、制御モジュール４０は、ファンが自動的にオフになるように制御する。ユーザが再び家に帰った場合に、ウェアラブルデバイス５０と通信モジュール１０との通信接続が再確立され、制御モジュール４０は、ファン５０が直ちに自動的にオンになるように制御する。
【００７８】
本発明の一実施例において、ファンは、さらに、通信モジュール１０を介してクラウドサーバと通信し、ファンは、毎回、睡眠用風モードに入った後の運転パラメータをクラウドサーバに送信し、クラウドサーバは、運転パラメータに基づいて睡眠用風制御グラフを修正し、修正された睡眠用風制御グラフをファンに送信する。
【００７９】
具体的には、通信モジュール１０は、インターネットを介してクラウドサーバとの通信接続を確立することができる。ファンは、一定時間内にユーザが毎回に睡眠用風モードに入った後の運転パラメータをクラウドサーバに送信し、クラウドサーバは、運転パラメータを分析及び計算することにより、ユーザの睡眠習慣を取得し、ユーザの睡眠習慣に基づいて睡眠用風制御グラフを修正する。制御モジュール４０は、ファンが再び睡眠用風制御グラフの運転に切り替えるように制御する場合に、クラウドサーバは、修正された睡眠用風制御グラフをファンに自動的に更新し、設定されたランクＸ（例えば、最新の時間帯内にユーザがよく設定されたランク）を修正する。これにより、睡眠用風制御グラフがユーザの要求をさらに満足するようになり、ユーザの使用利便性が向上する。
【００８０】
本発明の一実施例において、ウェアラブルデバイス５０は、さらにユーザの人体パラメータに基づいて風速調節命令を生成し、風速調節命令を通信モジュール１０に送信し、制御モジュール４０は、風速調節命令に基づいてモータの回転速度を調節してファンの吹き出し風速を調節する。ここで、人体パラメータは、体温、表情、苛立たしさ、及び睡眠状態などを含んでもよい。ユーザの人体パラメータによってファンの吹き出し風速が微調節され、ファンの吹き出し風速がユーザの実際の状況により近づき、ユーザの快適さが向上する。
【００８１】
本発明の実施例によるファンは、通信モジュールによりウェアラブルデバイスとの通信接続を確立してウェアラブルデバイスから送信された睡眠用風モード命令を受信し、メイン制御モジュールは、通信モジュールが睡眠用風モード命令を受信した場合に、ファンが睡眠用風モードに入るように制御し、睡眠用風制御グラフを取得し、睡眠用風制御グラフに基づいてファンの運転パラメータを調節する。これにより、当該ファンは、ユーザが睡眠状態に入った場合に、睡眠用風制御グラフに基づいてファンの運転ランクを調節することができ、邪魔する要因が存在しなく、ファンの制御精度が向上し、ユーザの利便性が向上する。
【００８２】
図６は、本発明の一実施例によるファンの制御方法のフローチャートである。図６に示すように、当該ファンの制御方法は、ウェアラブルデバイスが、ユーザの人体パラメータを検出することにより、ユーザが睡眠状態に入ったか否かを判断するステップＳ１と、ユーザが睡眠状態に入った場合に、睡眠用風モード命令を生成するステップＳ２と、睡眠用風モード命令に基づいてファンが睡眠用風モードに入るように制御し、ファンが睡眠用風モードに入った後、睡眠用風制御グラフを取得し、睡眠用風制御グラフに基づいてファンの運転パラメータを調節するステップＳ３と、を含む。
【００８３】
具体的に、本発明の実施例において、ウェアラブルデバイスは、ユーザの現在の心拍数及び運動パラメータ情報を検出することにより、ユーザが睡眠状態に入ったか否かを判断することができる。例えば、ユーザの２０分以内の心拍数及び運動パラメータ情報を検出することにより、ユーザが睡眠状態に入ったか否かを判断する。ユーザが睡眠状態に入ったと判断されると、ウェアラブルデバイスは、睡眠用風モード命令を生成してファンに送信する。ファンとウェアラブルデバイスとの間の距離が比較的小さい（例えば、１０メートル）場合に、ファンとウェアラブルデバイスとは、ブルートゥース（登録商標）、ＷＩＦＩなどの方式で通信することができる。ファンがウェアラブルデバイスから送信された睡眠用風モード命令を受信した後、ファンは、自動的に睡眠用風モードに入り、睡眠用風制御グラフを取得し、睡眠用風制御グラフに基づいてファンの運転ランクを調節する。
【００８４】
本発明の一実施例において、図２に示すように、運転パラメータは、運転ランクと首振り角度とを含み、睡眠用風制御グラフは、睡眠時間と運転ランクとの対応関係を示すグラフである。睡眠用風制御グラフは、ユーザが睡眠状態に入る前のファンの設定されたランクＸを基本参照変数として生成される。ファンは、睡眠用風制御グラフに基づいて運転ランクを調節する場合に、さらに、所定の首振り角度に基づいて首振りすることができる。ここで、所定の首振り角度が９０°とデフォルトされてもよい。
【００８５】
具体的に、図２に示すように、ファンがウェアラブルデバイスから送信された睡眠用風モード命令を受信した場合に、ファンは、睡眠用風制御グラフの運転に自動的に切り替え、即ち、睡眠用風制御グラフに基づいて自動的に運転ランクを調節し、同時に所定の角度、例えば、９０°で首振りする。ここで、Ｘは、ユーザが睡眠状態に入る前のファンの設定されたランクであり、ユーザによって自身の要望に応じて設定される。ＭとＮとは、実際の状況に応じて予め設定することができ、例えば、Ｍが２に設定されてもよく、Ｎが５に設定されてもよい。Ｘ-Ｍ又はＸ-Ｎがゼロ以下であると、１ランクとデフォルトされる。
【００８６】
なお、ウェアラブルデバイスによりファンが睡眠用風モードに入るように制御する場合に、ファンが睡眠用風制御グラフの運転に自動的に切り替えることは、Ｘ-Ｍランクからファンの運転ランクを調節することである。また、ユーザは、押しボタン、リモコン、移動端末などを介してファンの首振り角度を設定し、首振り機能のオン又はオフを行うことができる。
【００８７】
本発明の別の実施例において、ユーザがウェアラブルデバイスを着用していない場合に、ユーザは、直接的に押しボタン、リモコン、移動端末などを介してファンが睡眠用風モードに入るように制御することができる。ここで、リモコンは、赤外線、無線周波数、ＷＩＦＩなどの無線通信方式でファンと通信することができる。ファンが睡眠用風モードに入った場合に、ファンは、まず、設定されたランクＸで１時間運転し、それからＸ-Ｍランクからファンの運転ランクを調節し、ファンが８時間運転した後、設定されたランクＸで運転し続ける。
【００８８】
本発明の更なる別の実施例において、ファンが睡眠用風モード命令を受信していない場合に、ファンは、設定されたランクＸで運転する。
【００８９】
本発明の一実施例において、ウェアラブルデバイスによって、ユーザが睡眠状態から目覚めたことが検出された場合に、計測を開始し、計測時間が所定の時間に達した場合に、ウェアラブルデバイスは、終了命令を生成し、終了命令をファンに送信して、ファンが睡眠用風モードを終了する。ここで、所定の時間は、実際の状況に応じて設定することができる。
【００９０】
具体的に、ウェアラブルデバイスによって、ユーザが睡眠状態から目覚めたことが検出された場合に、当該ユーザがアウェイク状態になっている時間を累積し始め、累積されたアウェイク状態の時間が所定の時間より大きい場合に、ウェアラブルデバイスは、終了命令を生成し、終了命令をファンに送信して、ファンが睡眠用風モードを終了する。累積されたアウェイク状態の時間が所定の時間以下である場合に、ウェアラブルデバイスは、ユーザの睡眠期間中の短時間アウェイク状態での活動行為、例えば、トイレに行く又は水を飲むなどの活動行為であると判定することができ、ウェアラブルデバイスは、無視する。
【００９１】
さらに、ファンが睡眠用風モードを終了した後、リスニングモード又は通常風モードに入ることができ、リスニングモードは、スタンバイモードとして理解されてもよい。この場合に、ユーザは、押しボタン、リモコン、移動端末などを介して制御命令をファンに送信することができ、ファンは、制御命令を受信した後、対応する運転モードに入る。通常風モードに対応するファンのランクは、設定されたランクＸであってもよい。
【００９２】
本発明の一実施例において、ウェアラブルデバイスとファンとの通信接続が切断されると、ファンが自動的にオフになるように制御され、ウェアラブルデバイスとファンとの通信接続が再確立されると、ファンが自動的にオンになるように制御される。
【００９３】
具体的には、ウェアラブルデバイスとファンとの間の距離が比較的遠い場合に、ウェアラブルデバイスとファンとの通信接続を確立することができず、これは、ホームアウェイモードとして定義することができ、この場合に、ファンが自動的にオフになる。ウェアラブルデバイスとファンとの間の距離が比較的近い場合に、ウェアラブルデバイスとファンとの通信接続は自動的に確立され、これは、ホームモードとして定義することができ、この場合に、ファンが自動的にオンになる。例えば、ユーザが家を出た場合に、ウェアラブルデバイスとファンとの通信接続が切断され、切断された時間が１０分に達すると、ファンが自動的にオフになる。ユーザが再び家に帰った場合に、ウェアラブルデバイスとファンとの通信接続が再確立され、ファンは、直ちに自動的にオンになる。
【００９４】
本発明の一実施例において、ファンは、さらに、クラウドサーバと通信し、ファンは、毎回、睡眠用風モードに入った後の運転パラメータをクラウドサーバに送信し、クラウドサーバは、運転パラメータに基づいて睡眠用風制御グラフを修正し、修正された睡眠用風制御グラフをファンに送信する。
【００９５】
具体的には、ファンは、インターネットを介してクラウドサーバとの通信接続を確立することができる。ファンは、一定時間内にユーザが睡眠用風モードに入った後の運転パラメータを毎回クラウドサーバに送信し、クラウドサーバは、運転パラメータを分析及び計算することにより、ユーザの睡眠習慣を取得し、ユーザの睡眠習慣に基づいて睡眠用風制御グラフを修正する。ファンが再び睡眠用風制御グラフの運転に切り替えた場合に、クラウドサーバは、修正された睡眠用風制御グラフをファンに自動的に更新し、設定されたランクＸ（例えば、最新の時間帯内にユーザがよく設定されたランク）を修正する。これにより、睡眠用風制御グラフがユーザの要求をさらに満足するようになり、ユーザの使用利便性が向上する。
【００９６】
本発明の一実施例において、ウェアラブルデバイスは、さらに、ユーザの人体パラメータに基づいて風速調節命令を生成し、風速調節命令をファンに送信してファンの吹き出し風速を調節する。ここで、人体パラメータは、体温、表情、苛立たしさ、及び睡眠状態などを含んでもよい。ユーザの人体パラメータによってファンの吹き出し風速が微調節され、ファンの吹き出し風速がユーザの実際の状況により近づき、ユーザの快適さが向上する。
【００９７】
本発明の実施例によるファンの制御方法によれば、ウェアラブルデバイスが、ユーザの人体パラメータを検出することにより、ユーザが睡眠状態に入ったか否かを判断し、ユーザが睡眠状態に入った場合に、睡眠用風モード命令を生成し、睡眠用風モード命令に基づいてファンが睡眠用風モードに入るように制御し、ファンが睡眠用風モードに入った後、睡眠用風制御グラフを取得し、睡眠用風制御グラフに基づいてファンの運転パラメータを調節する。これにより、当該方法は、ユーザが睡眠状態に入った場合に、睡眠用風制御グラフに基づいてファンの運転パラメータを調節することができ、邪魔する要因が存在しなく、ファンの制御精度が向上し、ユーザの利便性が向上する。
【００９８】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。
【００９９】
なお、「第１」、「第２」の用語は、単に対象を説明するためのものであり、比較的な重要性を指示又は暗示するか、或いは示された技術の特徴の数を黙示的に指示すると理解してはいけない。よって、「第１」、「第２」と限定されている特徴は少なくとも一つの前記特徴を含むことを明示又は暗示するものである。本発明の説明において、明確且つ具体的な限定がない限り、「複数」とは、二つ以上を意味し、例えば、二つ、三つなどである。
【０１００】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。直接的に接続することや、その間に媒体を介して間接的に接続することや、二つの部品の内部が連通することや、あるいは二つの部品の間に相互の作用関係があることも可能である。当業者であれば、具体的な場合に応じて上記用語の本発明においての具体的な意味を理解することができる。
【０１０１】
本発明において、明確な規定と限定がない限り、第１特徴が第２特徴の「上」又は「下」にあることは、第１特徴と第２特徴とが直接的に接触することを含んでも良いし、又は第１特徴と第２特徴とが、その間に媒体を介して間接的に接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【０１０２】
本発明の説明において、「一実施例」、「一部の実施例」、「例」、「具体的な例」、或いは「一部の例」などの用語を参照した説明は、該実施例或いは例に合わせて説明された具体的な特徴、構成、材料或いは特性が、本発明の少なくとも一つの実施例或いは例に含まれることを意味する。本明細書において、上記用語に対する例示的な説明は、必ずしも同じ実施例或いは例を指すことではない。また、説明された具体的な特徴、構成、材料或いは特性は、いずれか一つ或いは複数の実施形態又は例において適切に結合することができる。なお、互いに矛盾しない限り、当業者は、本明細書に説明された異なる実施例又は例、及び異なる実施例又は例の特徴を結合し、組み合わせることができる。
【０１０３】
以上、本発明の実施例を示して説明したが、なお、上記実施例は、例示的なものであり、本発明を限定するものと理解してはいけない。当業者は、本発明の範囲内で上記実施例に対して変更、修正、取り替え及び変形を行うことができる。
【符号の説明】
【０１０４】
１０、２１０  通信モジュール
２０、２２０  ファンブレード
３０、２３０  モータ
４０、２４０  メイン制御モジュール
５０、１００  ウェアラブルデバイス
２００  ファン
３００  クラウドサーバ３００
【図１】
2019509424.tif 000003
【図２】
2019509424.tif 000004
【図３】
2019509424.tif 000005
【図４】
2019509424.tif 000006
【図５】
2019509424.tif 000007
【図６】
2019509424.tif 000008
【国際調査報告】
2019509424.tif 000009
2019509424.tif 000010
2019509424.tif 000011
2019509424.tif 000012